(57)【要約】【課題】遠隔地から移動体端末を利用して、家電製品などのリモートコントロールや動作状態の監視を行う。【解決手段】リモートコントロールシステムは、ドライバプログラムを格納し、管理するアプリケーションサーバ１６と、ドライバプログラムを用いて制御される家電製品１９Ａ、１９Ｂと、制御コマンドを入力するための操作部および前記被制御装置の制御画面を表示する表示部とを有する移動体端末１１と、移動体端末１１、アプリケーションサーバ１６および家電製品１９Ａ、１９Ｂにネットワークを介して接続され、ドライバプログラムを登録し、制御コマンドに基づいて家電製品１９Ａ、１９Ｂを制御するホームサーバ１８とを備える。ここで、ホームサーバ１８は、ドライバプログラムを登録し、移動体端末１１から送信された制御コマンドに基づいて家電製品１９Ａ、１９Ｂを制御する。【選択図】　　　図１
2004096234.tif 000002
【特許請求の範囲】
【請求項１】
外部の移動体端末と外部ネットワークを介して無線通信を行うための外部通信インターフェース部と、
前記外部通信インターフェース部を介して受信したドライバプログラムを記憶するドライバ記憶部と、
被制御機器との間で近距離無線通信を行うための内部通信インターフェース部と、
前記外部通信インターフェース部を介して入力される前記被制御機器の制御コマンドに基づいて、対応する被制御機器を前記ドライバプログラムを用い前記内部通信インターフェース部を介して制御する制御実行部と、
を備えたことを特徴とするローカルサーバ装置。
【請求項２】
請求項１記載のローカルサーバ装置において、
前記外部ネットワークを介して外部のアプリケーションサーバより前記ドライバプログラムをダウンロードするドライバ受信部を備えたことを特徴とするローカルサーバ装置。
【請求項３】
請求項２記載のローカルサーバ装置において、
制御可能な前記被制御装置に対応する前記移動体端末における制御画面を、前記移動体端末に生成させるための制御リストデータを生成し、前記外部通信インターフェース部を介して前記移動体端末に対して送信するリストデータ生成部を備えたことを特徴とするローカルサーバ装置。
【請求項４】
請求項２記載のローカルサーバ装置において、
制御可能な前記被制御装置に対応する制御リスト画面を前記移動体端末において表示させるための制御リスト表示データを生成し、前記外部通信インターフェース部を介して前記移動体端末に対して送信する画面データ生成部を備えたことを特徴とするローカルサーバ装置。
【請求項５】
請求項１ないし請求項４のいずれかに記載のローカルサーバ装置において、
前記内部通信インターフェース部を介して入力される前記被制御装置からのデータを前記外部通信インターフェース部を介して前記移動体端末に転送するデータ転送部を備えたことを特徴とするローカルサーバ装置。
【請求項６】
あらかじめ外部ネットワークを介して被制御装置のドライバプログラムをダウンロードするダウンロード過程と、
前記ドライバプログラムを記憶する記憶過程と、
前記外部ネットワークを介して外部の移動体端末から入力される制御コマンドを受信するコマンド受信過程と、
前記受信した制御コマンドに基づいて被制御機器との間で近距離無線通信を行い、前記ドライバプログラムを用いて前記被制御装置の制御を行う制御過程と、
を備えたことを特徴とする制御方法。
【請求項７】
請求項６記載の制御方法において、
制御可能な前記被制御装置に対応する前記移動体端末における制御画面を、前記移動体端末に生成させるための制御リストデータを生成するリストデータ生成過程と、
生成した制御リストデータを前記外部ネットワークを介して前記移動体端末に対して送信するリストデータ送信過程と、
を備えたことを特徴とする制御方法。
【請求項８】
請求項６記載の制御方法において、
制御可能な前記被制御装置に対応する制御リスト画面を前記移動体端末において表示させるための制御リスト表示データを生成する表示データ生成過程と、
生成した制御リスト表示データを前記外部ネットワークを介して前記移動体端末に対して送信する画面データ送信過程と、
を備えたことを特徴とする制御方法。
【請求項９】
請求項６ないし請求項８のいずれかに記載の制御方法において、
前記被制御装置からのデータを前記外部ネットワークを介して前記移動体端末に転送するデータ転送過程を備えたことを特徴とする制御方法。
【請求項１０】
ドライバプログラムを格納し、管理するアプリケーションサーバ装置と、
前記ドライバプログラムを用いて制御される被制御装置と、
制御コマンドを入力するための操作部および前記被制御装置の制御画面を表示する表示部とを有する移動体端末と、
前記移動体端末、前記アプリケーションサーバ装置および前記被制御装置にネットワークを介して接続され、前記ドライバプログラムを登録し、前記制御コマンドに基づいて前記被制御装置を制御するローカルサーバ装置と、
を備えたことを特徴とするリモートコントロールシステム。
【請求項１１】
コンピュータをローカルサーバ装置として機能させるための制御プログラムにおいて、
あらかじめ外部ネットワークを介して被制御装置のドライバプログラムをダウンロードさせ、
前記ドライバプログラムを記憶させ、
前記外部ネットワークを介して外部の移動体端末から入力される制御コマンドを受信させ、
前記受信した制御コマンドに基づいて被制御機器との間で近距離無線通信を行わせ、前記ドライバプログラムを用いて前記被制御装置の制御を行わせる、
ことを特徴とする制御プログラム。
【請求項１２】
請求項１１記載の制御プログラムにおいて、
制御可能な前記被制御装置に対応する前記移動体端末における制御画面を、前記移動体端末に生成させるための制御リストデータを生成させ、
生成した制御リストデータを前記外部ネットワークを介して前記移動体端末に対して送信させる、
ことを特徴とする制御プログラム。
【請求項１３】
請求項１１記載の制御プログラムにおいて、
制御可能な前記被制御装置に対応する制御リスト画面を前記移動体端末において表示させるための制御リスト表示データを生成させ、
生成した制御リスト表示データを前記外部ネットワークを介して前記移動体端末に対して送信させる、
ことを特徴とする制御プログラム。
【請求項１４】
請求項１１ないし請求項１３のいずれかに記載の制御プログラムにおいて、
前記被制御装置からのデータを前記外部ネットワークを介して前記移動体端末に転送させることを特徴とする制御プログラム。
【請求項１５】
請求項１１ないし請求項１４のいずれかに記載の制御プログラムを記録したことを特徴とするコンピュータ読取可能な記録媒体。
【発明の詳細な説明】
【０００１】
【発明の属する技術分野】
本発明は、ローカルサーバ装置、制御方法、リモートコントロールシステム、制御プログラムおよび記録媒体に関する。
【０００２】
【従来の技術】
従来においては、冷蔵庫、テレビ、洗濯機などの家電製品は、スタンドアロンで使用するのが前提であり、直接制御を行うように構成されていた。
すなわち、各家電製品の制御を行う場合には、直接各家電製品のボタンなどを操作することにより行うのが一般的であった。
【０００３】
【発明が解決しようとする課題】
従って、外出先で電源を切り忘れたかどうかを判断することはできず、たとえ電源を切り忘れたことを思い出したとしても、家に戻らなければ、操作を行うことはできなかった。
同様に帰宅前にエアコンのスイッチを入れて冷房を行ったり、風呂への自動給湯などを行ったりしたい場合には、予めタイマの設定などを行ってから出かける必要があった。
そこで、本発明の目的は、遠隔地から移動体端末を利用して、家電製品などのリモートコントロールや動作状態の監視を行うことができるローカルサーバ装置、制御方法、リモートコントロールシステム、制御プログラムおよび記録媒体を提供することにある。
【０００４】
【課題を解決するための手段】
上記課題を解決するため、ローカルサーバ装置は、外部の移動体端末と外部ネットワークを介して無線通信を行うための外部通信インターフェース部と、前記外部通信インターフェース部を介して受信したドライバプログラムを記憶するドライバ記憶部と、被制御機器との間で近距離無線通信を行うための内部通信インターフェース部と、前記外部通信インターフェース部を介して入力される前記被制御機器の制御コマンドに基づいて、対応する被制御機器を前記ドライバプログラムを用い前記内部通信インターフェース部を介して制御する制御実行部とを備えたことを特徴としている。
上記構成によれば、ドライバ記憶部は、外部通信インターフェース部を介して受信したドライバプログラムを記憶する。
制御実行部は、被制御機器との間で近距離無線通信を行うための内部通信インターフェース部と、外部通信インターフェース部を介して入力される被制御機器の制御コマンドに基づいて、対応する被制御機器をドライバプログラムを用い前記内部通信インターフェース部を介して制御する。
【０００５】
この場合において、前記外部ネットワークを介して外部のアプリケーションサーバより前記ドライバプログラムをダウンロードするドライバ受信部を備えるようにしてもよい。
また、制御可能な前記被制御装置に対応する前記移動体端末における制御画面を、前記移動体端末に生成させるための制御リストデータを生成し、前記外部通信インターフェース部を介して前記移動体端末に対して送信するリストデータ生成部を備えるようにしてもよい。
さらに制御可能な前記被制御装置に対応する制御リスト画面を前記移動体端末において表示させるための制御リスト表示データを生成し、前記外部通信インターフェース部を介して前記移動体端末に対して送信する画面データ生成部を備えるようにしてもよい。
さらにまた、前記内部通信インターフェース部を介して入力される前記被制御装置からのデータを前記外部通信インターフェース部を介して前記移動体端末に転送するデータ転送部を備えるようにしてもよい。
【０００６】
また、ローカルサーバを制御するための制御方法は、あらかじめ外部ネットワークを介して被制御装置のドライバプログラムをダウンロードするダウンロード過程と、前記ドライバプログラムを記憶する記憶過程と、前記外部ネットワークを介して外部の移動体端末から入力される制御コマンドを受信するコマンド受信過程と、前記受信した制御コマンドに基づいて被制御機器との間で近距離無線通信を行い、前記ドライバプログラムを用いて前記被制御装置の制御を行う制御過程とを備えたことを特徴としている。
【０００７】
この場合において、制御可能な前記被制御装置に対応する前記移動体端末における制御画面を、前記移動体端末に生成させるための制御リストデータを生成するリストデータ生成過程と、生成した制御リストデータを前記外部ネットワークを介して前記移動体端末に対して送信するリストデータ送信過程とを備えるようにしてもよい。
また、制御可能な前記被制御装置に対応する制御リスト画面を前記移動体端末において表示させるための制御リスト表示データを生成する表示データ生成過程と、生成した制御リスト表示データを前記外部ネットワークを介して前記移動体端末に対して送信する画面データ送信過程とを備えるようにしてもよい。
さらに、前記被制御装置からのデータを前記外部ネットワークを介して前記移動体端末に転送するデータ転送過程を備えるようにしてもよい。
【０００８】
また、リモートコントロールシステムは、ドライバプログラムを格納し、管理するアプリケーションサーバ装置と、前記ドライバプログラムを用いて制御される被制御装置と、制御コマンドを入力するための操作部および前記被制御装置の制御画面を表示する表示部とを有する移動体端末と、前記移動体端末、前記アプリケーションサーバ装置および前記被制御装置にネットワークを介して接続され、前記ドライバプログラムを登録し、前記制御コマンドに基づいて前記被制御装置を制御するローカルサーバ装置とを備えたことを特徴としている。
上記構成によれば、ローカルサーバ装置は、ドライバプログラムを登録し、移動体端末から送信された制御コマンドに基づいて被制御装置を制御する。
【０００９】
また、コンピュータをローカルサーバ装置として機能させるための制御プログラムは、あらかじめ外部ネットワークを介して被制御装置のドライバプログラムをダウンロードさせ、前記ドライバプログラムを記憶させ、前記外部ネットワークを介して外部の移動体端末から入力される制御コマンドを受信させ、前記受信した制御コマンドに基づいて被制御機器との間で近距離無線通信を行わせ、前記ドライバプログラムを用いて前記被制御装置の制御を行わせることを特徴としている。
この場合において、制御可能な前記被制御装置に対応する前記移動体端末における制御画面を、前記移動体端末に生成させるための制御リストデータを生成させ、生成した制御リストデータを前記外部ネットワークを介して前記移動体端末に対して送信させるようにしてもよい。
【００１０】
また、制御可能な前記被制御装置に対応する制御リスト画面を前記移動体端末において表示させるための制御リスト表示データを生成させ、生成した制御リスト表示データを前記外部ネットワークを介して前記移動体端末に対して送信させるようにしてもよい。
さらに前記被制御装置からのデータを前記外部ネットワークを介して前記移動体端末に転送させるようにしてもよい。
また、上記各制御プログラムをコンピュータ読取可能な記録媒体に記録してもよい。
【００１１】
【発明の実施の形態】
次に本発明の好適な実施形態について、図面を参照して説明する。
［１］第１実施形態
図１に第１実施形態のリモートコントロールシステムの概要構成ブロック図を示す。
リモートコントロールシステム１０は、大別すると、移動体端末１１と、無線基地局１２Ａ、１２Ｂと、交換局１３Ａ、１３Ｂと、公衆回線網１５と、アプリケーションサーバ１６と、メーカサーバ１７Ａ、１７Ｂ、……、１７Ｘと、ホームサーバ１８と、家電製品１９Ａ、１９Ｂと、を備えている。
移動体端末１１は、例えば、携帯電話、ＰＨＳ（Ｐｅｒｓｏｎａｌ　Ｈａｎｄｙｐｈｏｎｅ　Ｓｙｓｔｅｍ；登録商標）等の通信機能を有する情報処理装置である。さらに移動体端末１１は、各種情報を表示するための表示装置を備え、各種情報を閲覧するためのＷＷＷ（Ｗｏｒｌｄ　Ｗｉｄｅ　Ｗｅｂ）ブラウザ機能を有している。
無線基地局１２は、移動体端末１１との間で無線ネットワークを構築し、無線通信を行う。
【００１２】
交換局１３は、無線基地局１２を介して接続される移動体端末１１と公衆回線網１５との間で交換制御を行う。
公衆回線網１５は、いわゆる通信回線であり、固定電話網、移動電話網等を含む各種ネットワークにより構成されている。
アプリケーションサーバ１６は、例えば、アプリケーションプロバイダが管理するサーバであり、各メーカの制御用ドライバプログラムなどを管理し、ホームサーバ１８からの要求に従って制御用ドライバプログラムなどを配信する。
メーカサーバ１７Ａ、１７Ｂ、……、１７Ｘは、家電製品のメーカが管理するサーバであり、自社の家電製品に対応する制御用ドライバプログラムなどのバージョンアップを行った場合には、アプリケーションサーバ１６に対して通知を行い、対応する制御用ドライバプログラムなどを更新することとなる。
ホームサーバ１８は、アプリケーションサーバ１６から配信された家電製品１９Ａ、１９Ｂに対応する制御用ドライバプログラムを用いて、家電製品１９Ａ、１９Ｂの管理および制御を行う。さらに移動体端末１１用に家電製品一覧データを生成し保持し、移動体端末１１からの要求に応じて移動体端末１１に送信する。
【００１３】
図２にホームサーバの概要構成ブロック図を示す。
ホームサーバ１８は、大別すると、制御部２１と、ＲＯＭ２２と、ＲＡＭ２３と、外部記憶装置２４と、表示部２５と、操作部２６と、外部通信インターフェース２７と、屋内通信インターフェース２８と、各部間を接続するバス２９とを備えている。
制御部２１は、ホームサーバ１８全体を制御する。
ＲＯＭ２２は、ホームサーバ１８の基本制御プログラムを格納している。
ＲＡＭ２３は、制御部２１のワーキングエリアとしても用いられ、展開された各種アプリケーションプログラム、制御用ドライバプログラムおよび各種データを一時的に格納している。
外部記憶装置２４は、ハードディスク装置やＥＥＰＲＯＭなどにより構成され、各種アプリケーションプログラム、制御用ドライバプログラム、ユーザ設定データなどを更新可能に記憶している。
表示部２５は、各種設定および実際の各家電製品１９Ａ、１９Ｂの動作状態を表示する。
【００１４】
操作部２６は、ユーザが各種設定を行うためのものである。
外部通信インターフェース２７は、携帯電話モジュールとして構成されており、無線基地局１２Ｂを介して、例えば、移動体端末１１、アプリケーションサーバ１６などとの間で通信を行う。
屋内通信インターフェース２８は、Ｂｌｕｅｔｏｏｔｈ（登録商標）などの近距離無線通信機能により、家庭内の家電製品１９Ａ、１９Ｂとの間で通信を行う。
家電製品１９Ａ、１９Ｂは、各種照明装置、冷蔵庫、電子レンジ、テレビ、ビデオ、自動給湯システム、ガス供給システムなどマイクロコンピュータおよびホームサーバ１８の屋内通信インターフェース２８との間での近距離無線通信機能を内蔵した電子家電製品である。以下の説明においては、家電製品１９Ａは、メーカサーバ１７Ａに対応するメーカの製品であり、家電製品１９Ｂは、メーカサーバ１７Ｂに対応するメーカの製品であるものとして説明する。
【００１５】
図３に家電製品の概要構成図を示す。家電製品１９Ａおよび家電製品１９Ｂの構成は同様であるので、以下の説明においては、家電製品１９Ａを例として説明する。
家電製品１９Ａは、大別すると、屋内通信インターフェース３１、制御部３２、ＲＯＭ３３、ＥＥＰＲＯＭ３４、ＲＡＭ３５、操作部３６、表示部３７、各部間を接続するバス３８とを備えている。
屋内通信インターフェース３１は、ホームサーバ１８と同一の近距離無線通信機能を有しており、ホームサーバ１８との間で通信を行う。
制御部３２は、家電製品１９Ａ全体を制御する。
ＲＯＭ３３は、家電製品１９Ａの基本制御プログラムを格納している。
ＥＥＰＲＯＭ３４は、各種アプリケーションプログラム、制御用ドライバプログラムなどを更新可能に記憶している。
ＲＡＭ３５は、制御部３２のワーキングエリアとしても用いられ、展開された各種アプリケーションプログラム、制御用ドライバプログラムおよび各種データを一時的に格納している。
操作部３６は、各種操作ボタンなどを備え、ユーザが各種操作を行うためのものである。
表示部３７は、液晶ディスプレイなどにより構成され、各種設定状態および実際の家電製品１９Ａの動作状態等を表示する。
【００１６】
次に第１実施形態の動作について説明する。
図４に第１実施形態のリモートコントロールシステム１０の概要シーケンスチャートを示す。
まず、各メーカサーバ１７Ａ〜１７Ｘは、アプリケーションサーバ１６に対し、制御用ドライバプログラム（図中、単にドライバと記述する）をアップロードする（ステップＳ１）。
これによりアプリケーションサーバ１６は、アップロードされた制御用ドライバプログラムの自己のデータベースへの登録を行う（ステップＳ２）。
【００１７】
一方、ホームサーバ１８は、ポーリングを行い、ホームサーバの制御下に入ろうとしている家電製品の有無の確認を行う（ステップＳ３）。
このホームサーバ１８のポーリングに対して家電製品、例えば、家電製品１９Ｂが応答し、当該家電製品１９Ｂを特定するためのユニークな情報（家電製品特定情報）を送信すると（ステップＳ４）、ホームサーバ１８の制御部２１は、製品登録処理として外部記憶装置２４に送信された家電製品特定情報を記憶する（ステップＳ５）。
次にホームサーバ１８の制御部２１は、外部通信インターフェース２７、無線基地局１２Ｂを介してアプリケーションサーバ１６にアクセスし、家電製品特定情報を送信して対応する家電製品の制御用ドライバプログラムのダウンロードの可否を問い合わせる（ステップＳ６）。
【００１８】
ステップＳ６の問い合わせに対し、アプリケーションサーバ１６は、自己のデータベースを検索し、家電製品特定情報に対応する制御用ドライバプログラムが存在するか否かを判別する。そして家電製品特定情報に対応する制御用ドライバプログラムが存在する場合には、アプリケーションサーバ１６は、当該制御用ドライバプログラムをホームサーバ１８にダウンロードする（ステップＳ７）。
対応する制御用ドライバプログラムがダウンロードされると、ホームサーバ１８は、制御用ドライバプログラムの登録（インストール）を行う（ステップＳ８）。
図５に家電製品を移動端末によりモニタリングあるいはリモートコントロールする場合の概要処理シーケンスチャートを示す。
移動体端末１１は、無線基地局１２Ａ、交換局１３Ａ、公衆回線網１５、交換局１３Ｂおよび無線基地局１２Ａを介してホームサーバ１８に制御可能な家電製品の一覧リストを要求する（ステップＳ１１）。
【００１９】
これにより、ホームサーバ１８は、登録されている制御用ドライバプログラムに基づいて、制御可能な家電製品の一覧リストデータを生成し、移動体端末１１に送信する（ステップＳ１２）。この場合において、一覧リストデータには、家電製品名（型番）、メーカ名等の基本情報の他、モニタリング可能な項目に対応するモニタリング項目データ、移動体端末１１においてリモート制御可能な項目に対応するコントロール項目データなどが含まれる。
この結果、移動体端末１１の図示しない制御部は、受信した一覧リストデータに基づいて制御対象の家電製品リスト画面を生成し、図６に示すように、液晶ディスプレイなどの表示画面１１Ａに表示する（ステップＳ１３）。図６においては、家電製品１９Ａに対応するボタン（図中、家電Ａコントロールと表示）、家電製品１９Ｂに対応するボタン（図中、家電Ｂコントロールと表示）、……、家電製品１９Ｘに対応するボタン（図中、家電Ｘコントロールと表示）が家電製品リスト画面に表示されている。
【００２０】
この状態において、操作キー群１１Ｂを操作して、「家電Ｂコントロール」を選択すると（ステップＳ１４）、ホームサーバ１８は、登録されている制御用ドライバプログラムに基づいて、図７に示すように、家電製品１９Ｂの制御用画面データを生成し、移動体端末１１に送信する（ステップＳ１５）。
この結果、移動体端末１１の図示しない制御部は、受信した制御用画面データに基づいて制御対象の家電製品１９Ｂに対応する制御画面を生成し、図７に示すように、液晶ディスプレイなどの表示画面１１Ａに表示する（ステップＳ１６）。図７においては、家電製品１９Ｂのタイマ予約に対応するボタン、モニタリングに対応するボタン、……、基本設定に対応するボタンが制御画面に表示されている。
この状態において、操作キー群１１Ｂを操作して、「タイマ予約」を選択すると、移動体端末１１の制御部は、モニタリング項目データおよびコントロール項目データに基づいて制御コマンドをホームサーバ１８に対して送信する（ステップＳ１７）。
【００２１】
これによりホームサーバ１８は、登録されている制御用ドライバプログラムに基づいて、家電製品１９Ｂのタイマ予約画面データを生成し、移動体端末１１に送信する。
この結果、移動体端末１１の図示しない制御部は、受信した制御用画面データに基づいて家電製品１９Ｂに対応するタイマ予約画面を生成し、図８に示すように、液晶ディスプレイなどの表示画面１１Ａに表示する。図８においては、家電製品１９Ｂのタイマ予約における日付設定ボタン、時刻設定ボタン、……、動作モード設定ボタンが画面に表示されている。
そしてユーザが移動体端末１１において、日付、時刻などの各種設定を行い、操作キー群１１Ｂを操作して設定を確定すると、移動体端末１１の制御部は、制御コマンドをホームサーバ１８に送信する。
これによりホームサーバ１８の制御部２１は、屋内通信インターフェース２８を介して、対応する制御データを家電製品１９Ｂに送信する（ステップＳ１８）。
【００２２】
家電製品１９Ｂは、送信された制御データに対応する制御を行い（ステップＳ１９）、制御結果をホームサーバ１８に通知する（ステップＳ２０）。
ホームサーバ１８は、通知された制御結果に基づいて家電製品１９Ｂのタイマ予約制御結果画面データを生成し、移動体端末１１に送信する（ステップＳ２１）。
この結果、移動体端末１１の図示しない制御部は、受信したタイマ予約制御結果画面データに基づいて家電製品１９Ｂに対応するタイマ予約制御結果画面を生成し、表示画面１１Ａに表示する（ステップＳ２２）。
以上の説明のように、本第１実施形態によれば、移動端末によるブラウザ機能により、各家庭内の家電製品の動作状態を容易に表示することが可能となる。
移動端末の表示画面上で家庭内の複数の家電製品の動作状態、各種設定状態が見られるので、ユーザが状態を監視したり、コントロールすることが容易となる。
また、以上の説明においては、家電製品リスト画面の生成は、移動体端末１１が行っていたが、ホームサーバ１８側で生成し、表示用データ（ＨＴＭＬデータ）を移動体端末１１側に送信して表示させるようにすることも可能である。
【００２３】
［２］第２実施形態
図９に本発明の第２実施形態の概要構成ブロック図を示す。図９において、図１の第１実施形態と同様の部分には同一の符号を付すものとする。
第２実施形態のリモートコントロールシステム５０は、大別すると、移動体端末１１と、無線基地局１２Ａ、１２Ｂと、交換局１３Ａ、１３Ｂと、公衆回線網１５と、アプリケーションサーバ１６と、メーカサーバ１７Ａ、１７Ｂ、……、１７Ｘと、ホームサーバ１８と、家電製品であるＣＣＤカメラ１９Ｃと、家電製品であるインターホン１９Ｄと、を備えている。
この場合において、ホームサーバ１８は、アプリケーションサーバ１６から配信された対応する制御用ドライバプログラムを用いて、ＣＣＤカメラ１９Ｃからの画像データを受信し、移動体端末１１に送信する。
この結果、移動体端末１１の表示画面には、ＣＣＤカメラ１９Ｃの撮像画像が表示される。従って、ＣＣＤカメラを自宅の玄関等に据え付けておけば、外出先でも監視を行うことが可能となる。
さらにホームサーバ１８は、インターホン１９Ｄと移動体端末１１との間で、音声データのやりとりを行うように動作すれば、外出先で、インターホン１９Ｄに応答することが可能となる。
【００２４】
［３］実施形態の効果
以上の説明のように、公衆回線網を介して各家庭と移動体端末との間で、制御データおよび制御結果データのやりとりを行うことにより、遠隔の地から家庭内の家電製品の動作状態の監視、制御を行うことが容易となる。
さらに公衆回線網を介して各家庭と移動体端末との間で、制御データ（文字データも含む）のやりとりばかりでなく、画像データや音声データのやりとりを行うことにより、各家庭の屋外の状況などを監視したり、訪問者に対する応答を行うことも可能となる。
【００２５】
［４］実施形態の変形例
［４．１］第１変形例
以上の説明においては、アプリケーションサーバが一つの場合、あるいは各メーカサーバ一つで構成されている場合について説明したが、アプリケーションサーバあるいはメーカサーバをメーカーごとに複数設け、分散処理を行うように構成することが可能である。
【００２６】
［４．２］第２変形例
以上の説明においては、アプリケーションサーバあるいはメーカサーバが直接一般公衆網に接続されている場合について説明したが、パケット交換網を構成するインターネットおよびインターネットゲートウェイ装置を介して回線交換網と接続するように構成することも可能である。
【００２７】
［４．３］第３変形例
以上の説明においては、ホームサーバと家電製品との間も無線で接続するように構成していたが、有線で接続するようにすることも可能である。また、両者の組み合わせを行うことも可能である。要は、ホームサーバと各家電製品との間でＬＡＮを構築するようにすればよい。
【００２８】
［４．４］第４変形例
以上の説明においては、移動体端末を用いて、屋外から制御を行っていたが、移動体端末に限ることなく、固定端末であっても適用が可能である。さらに端末にコンピュータを接続したような構成でも適用が可能である。
【００２９】
【発明の効果】
本発明によれば、遠隔の地から家庭内の家電製品の動作状態の監視、制御を行うことが容易となる。また、各家庭の屋外の状況などを監視したり、訪問者に対する応答を行うこともできる。
【図面の簡単な説明】
【図１】第１実施形態のリモートコントロールシステムの概要構成ブロック図である。
【図２】ホームサーバの概要構成ブロック図である。
【図３】家電製品の概要構成ブロック図である。
【図４】第１実施形態のリモートコントロールシステムの概要シーケンスチャートである。
【図５】家電製品を移動端末によりモニタリングあるいはリモートコントロールする場合の概要処理シーケンスチャートである。
【図６】一覧リスト画面の説明図である。
【図７】制御画面の説明図（その１）である。
【図８】制御画面の説明図（その２）である。
【図９】第２実施形態のリモートコントロールシステムの概要構成ブロック図である。
【符号の説明】
１０、５０…リモートコントロールシステム
１１…移動体端末
１２Ａ、１２Ｂ…無線基地局
１３Ａ、１３Ｂ…交換局
１５…公衆回線網
１６…アプリケーションサーバ
１７Ａ、１７Ｂ、１７Ｘ…メーカサーバ
１８…ホームサーバ（ローカルサーバ装置）
１９Ａ、１９Ｂ…家電製品（被制御装置）
１９Ｃ…ＣＣＤカメラ（被制御装置）
１９Ｄ…インターホン（被制御装置）
【図１】
2004096234.tif 000003
【図２】
2004096234.tif 000004
【図３】
2004096234.tif 000005
【図４】
2004096234.tif 000006
【図５】
2004096234.tif 000007
【図６】
2004096234.tif 000008
【図７】
2004096234.tif 000009
【図８】
2004096234.tif 000010
【図９】
2004096234.tif 000011